(57)【要約】      （修正有）【課題】寝台等に寝ている要介護者のシャワー等による全身の温水浴を行うにあたり、介護者の負担を軽減できる移動浴槽ベッドを提供する。【解決手段】移動浴槽をコンパクトに折畳みが出来る構造とするため、ベースとなる折畳式可搬ベッド２の上部に、各種の形状とする事が可能となるフリーストップ蝶番を介して本体ベースに取付けられた、稼働板１０、１１、１３等を最初平板台状の形態とし、その上面に安価なプラスチックシート３を載せ周囲をクランプ具５により固定しプラスチックシート中央部に排水口設置具１４を取付ける。さらに、要介護者１を中央に移動し、周囲の移動板１０、１１、１３等をプラスチックシート３と共に順次立上げて浴槽状とし、シャワー等により温水浴等を行い、終了後移動板１０、１１、１３等を順次元の状態に戻して、要介護者を移動した後クランプ具５排水口設置具１４を外してプラスチックフィルムを交換する。【選択図】図１
0003166746.tif 000002
【実用新案登録請求の範囲】
【請求項１】
主体の折畳み式ベッドの周囲に複数枚のパネルをフリーストップヒンジにより取り付け、パネルを自由な角度の位置に止められる可動パネルとし、畳んだ状態から浴槽状、平板台状、箱蓋状の形に出来る構造とし、その平板台状とした上に周囲より折り曲げ代を大きくしたプラスチックシートを載せ、可動パネルの周囲に取付けられたシートクランプ具により止めた後、中心部に排水口設置具により排水口を作り、排水ホースを接続後、要介護者を中央に載せ可動パネルを浴槽状とし、温水シャワー等により洗浄を行う事を特徴とした介護用移動浴槽ベッド。
【請求項２】
周囲の可動パネルにバネ付ヒンジとクリップ具を組み合せたシート押えにより、容易にシートを可動パネルに取付け及び取外しが出来る様にした、請求項１記載の介護用移動浴槽ベッド。
【請求項３】
プラスチックシートの一部分に取付と取り外しが可能な容易に排水口を作る事が出来る構造の用具を設置し、排水ホースにより浴槽内の洗浄廃水を排出がする事が出来る様にした、請求項１記載の介護用移動浴槽ベッド。
【請求項４】
ベッド本体ベースの周囲の角部分の４か所に車輪を取付け、ベッドを折り畳んで移動する場合の搬送を容易とした請求項１記載の介護用移動浴槽ベッド。
【考案の詳細な説明】
【技術分野】
【０００１】本考案は一般家庭、病院、介護施設等において、保管を容易とする組立形とした移動式浴槽ベッドにより、仰臥している要介護者の全身の洗浄を行う場合の用具で、要介護者を極力動かさずに浴槽に収容する事と、安価なプラスチックシートカバーの使用により、浴槽の洗浄を不要とした用具に関するものである。
【背景技術】
【０００２】要介護者の全身洗浄時、用具の移動と設置及びベッドと浴槽間の移動と、感染症等の予防から行う浴槽の洗浄作業に多くの労力を必要とする問題があった、これらを解決するため折畳み可能なベッド状の本体と、フリーヒンジにより本体に取付けられた複数のパネルの角度位置をセット出来る事により、浴槽状、平面台状、箱蓋状にする事が可能な構造と、パネルにプラスチックシートを取り付けるクランプ具及び本体に取り付けた排水口設置具によって、使用後容易にプラスチックシートを外し廃棄する事により洗浄を不要とし、介護者の労力を軽減出来るような用具が必要であつた。
【考案の概要】
【考案が解決しようとする課題】
【０００３】上述の如く要介護者のベッド側近までの用具の搬送と、浴槽内への要介護者の移動、浴槽の洗浄などが負担となっている、このため一般家庭への主張サービス多くの介護者を擁する施設、病院での使用には不便な点があった。
【課題を解決するための手段】
【０００４】本考案は、このような点に鑑みて成されたものであり、その目的は取り扱いが簡便であり、軽量、コンパクトで誰でも簡単に搬送しセットが出来る、洗浄を不要とした構造で、安価な物を提供する事にある。
【考案の効果】
【０００５】以上説明したように本考案によれば、常時は折り畳まれコンパクトで搬送が容易であり、使用時に広げて平板状にした後に所定の大きさのプラスチックシートをパネルに載せ、周囲をシートクランプ具により可動パネル面に取り付け、フィルムの中央部に排水口設置具をセットし、要介護者を移動した後、周囲の可動パネルを作業がし易い任意の角度に立ち上げ浴槽状にする事により、浴槽内で要介護者を温水シャワー等により洗浄を行う事が出来る。【０００６】洗浄排水は排水口よりホースで直接ポリタンク等に貯留するか、ポンプを使用して下水道等に排出する事が出来る。【０００７】作業終了後周囲の可動パネルを平の状態にもどし、要介護者をベッドに戻した後プラスチックフィルムは排水口設置具とシートクランプ具より外して廃棄出来る。
【考案を実施するための形態】
【０００８】以下本考案の形態を図面に基づき詳細に説明すると、図１は、本用具を要介護者１に対し、プラスチックシート３により形成した浴槽内で温水シャワー等を使用して洗う使用時の状態を示した斜視図で、次に本用具の構造について説明する。
【０００９】図２は本用具のベースとなる折り畳搬送ベッド２に、フリーストップヒンジ小５によって取り付けている可動パネル８，９，１０，１１，１２，１３を、順次に内側の水平位置に折り畳んだ状態で、折り畳搬送ベッドの組立時の状態又は収納時前の状態を示した斜視図である。
【００１０】図３は図２の状態の用具の可動パネル８，９，１０，１１，１２，１３を順次垂直の位置に止め、浴槽として使用する場合の可動パネルの状態を示した斜視図である。
【００１１】図４は図３の位置より可動パネル８，９，１０，１１，１２，１３をさらに広げて下向きの垂直位置までとし、図８の要介護者を移動する場合の可動パネル８，９，１０，１１，１２，１３の状態を示した斜視図である。
【００１２】次に本用具の使用順序について説明すると、図１０の状態で畳まれ保管されている物を、広げて図２に示すように脚部６をセットし、組立ボルト穴２５によりボルト、ナットを使用し固定する。
【００１３】次に図５の様に可動パネル８，９，１０，１１，１２，１３を広げて上面を平の状態とする。
【００１４】図５の状態の上面に面全体より周囲を規定の寸法に大きくしてあるプラスチックフィルム３を図６の様に周囲を均等にして平に載せ、周囲をパネルの外側に折り曲げながら順次フィルムクランプ具４により可動パネル８，９，１０，１１，１２，１３に止めて図７の状態とする。
【００１５】次にフィルムクランプ具４の使用方法について説明すると、図１１，１２，１３，１４は可動パネル８，９，１０，１１，１２，１３に取り付けた物を側面側より見た図である。
【００１６】図１１は使用する前の状態を示し、図１２は図５に示すプラスチックシート３を載せた状態で、バネ付ヒンジ２０の片側に付けられたクリップ片２１を開いてプラスチックシート３を板に折り曲げた状態を示した図である。
【００１７】図１３はバネ付ヒンジ２０とクリップ片２１を戻しバネの力により可動パネル８，９，１０，１１，１２，１３にプラスチックシート３を挿んで固定した状態を示した図である。
【００１８】図１４はスライドベース１９に取り付けられたヒンジ台２２を矢印の方向に移動し、クリップ片２１によりプラスチックシート３を可動パネル８，９，１０，１１，１２，１３に挟み込み固定した状態を示した図である。
【００１９】図１５は排水口設置具１４の使用方法について説明すると、本体ベース２に取り付けられている排水口ベース１６に、図５の状態にあるプラスチックシート３を排水口蓋１５によって押さえる直前の状態を示した図である。
【００２０】図１６はプラスチックシート３を排水口蓋１５により共に排水口ベース１６に締め込みゴムパッキン１７により密着した後プラスチックフィルム３の矢印部分を指先等により鑽孔しホース接続口１８に接続する状態を示した図である。
【００２１】プラスチックシート３を固定後に前記の要領により排水口設置具１４を図７に示す様に取り付け、排水ホースにより洗浄廃水をポリタンク等に貯留するか下水道等に排出する準備をおこなう。
【００２２】次に図８に示す様に、図７の状態から周囲の可動パネル８，９，１０，１１，１２，１３を図４の様に下部側の方向とし、要介護者ベッド２６に隣接して要介護者１を本用具の中央部に移動した後、図１の様に周囲の可動パネル８，９，１０，１１，１２，１３の各パネルを順次作業の容易となる位置となる上部に立ち上げて浴槽状に形成した後、温水シャワー等により要介護者１の洗浄を行う。
【００２３】作業終了後は順次元の状態となる図８の状態から、要介護者１を要介護者ベッド２６に戻したのち、排水口設置具１４と周囲の可動パネルからシートクランプ具４を全て外し、プラスチックシート３を外し廃棄する。
【００２４】使用後は組立時と逆の順序により戻して図９の状態とし、搬送時は搬送車輪２３を使い容易に移動する事ができる。
【図面の簡単な説明】
【００２５】
【図１】本考案の使用時の形態に係わる斜視図である。
【図２】本考案の用具を保管時に可動パネルを全て折り畳んだ状態を示す斜視図である。
【図３】図２の状態の用具を広げ可動パネルを垂直位置とした浴槽の状態を示す斜視図である。
【図４】図３の状態から可動パネルを下側の垂直位置とした箱蓋の状態を示す斜視図である。
【図５】図３の状態から可動パネルを水平位置とした平板台の状態を示す斜視図である。
【図６】図５の状態の用具の上面にプラスチックシートを載せた状態を示す斜視図である。
【図７】プラスチックシートをパネル上面に固定した状態を示す斜視図である。
【図８】要介護者ベッドより本用具に要介護者を移動した状態を示す斜視図である。
【図９】図３の斜視図を３角法により描いた図である。
【図１０】本用具を折畳み、搬送車輪を使用して移動する時の状態を示す斜視図である。
【図１１】シートクランプ具の最初の状態を示す側面図である。
【図１２】シートクランプ具を開いた状態を示す側面図である。
【図１３】シートクランプ具がシートを挟んだ状態を示す側面図である。
【図１４】シートクランプ具がシートをクランプした状態を示す側面図である。
【図１５】排水口設置具の取り付け時の状態を示す断面図である。
【図１６】排水口設置具の取り付け完了時の状態を示す断面図である。
【符号の説明】
【００２６】１      要介護者
２      本体ベース
３      プラスチックシート
４      シートクランプ具
５      フリーストップヒンジ小
６      折畳み脚
７      キャスター
８      可動パネル
９      可動パネル
１０    可動パネル
１１    可動パネル
１２    可動パネル
１３    可動パネル
１４    排水口設置具
１５    排水口蓋
１６    排水口ベース
１７    ゴムパッキン
１８    ホース接続口
１９    スライドベース
２０    バネ付ヒンジ
２１    クリップ片
２２    ヒンジ台
２３    搬送車輪
２４    フリーストップヒンジ大
２５    組立ボルト穴
２６    要介護者ベッド
【図１】
0003166746.tif 000003
【図２】
0003166746.tif 000004
【図３】
0003166746.tif 000005
【図４】
0003166746.tif 000006
【図５】
0003166746.tif 000007
【図６】
0003166746.tif 000008
【図７】
0003166746.tif 000009
【図８】
0003166746.tif 000010
【図９】
0003166746.tif 000011
【図１０】
0003166746.tif 000012
【図１１】
0003166746.tif 000013
【図１２】
0003166746.tif 000014
【図１３】
0003166746.tif 000015
【図１４】
0003166746.tif 000016
【図１５】
0003166746.tif 000017
【図１６】
0003166746.tif 000018
【手続補正書】
【提出日】平成22年12月20日(2010.12.20)
【手続補正１】
【補正対象書類名】実用新案登録請求の範囲
【補正対象項目名】請求項１
【補正方法】変更
【補正の内容】
【請求項１】
主体の折畳み式ベットの周囲に複数枚のパネルをフリーストップヒンジにより取り付け、パネルを自由な角度の位置に止められる可動パネルとし、畳んだ常態から浴槽状、平板台状、箱蓋状の形に出来る構造とし、その平板台状とした上に周囲より折り曲げ代を大きくしたプラスチックシートを載せ、可動パネルの周囲に取付けられたシートクランプ具により止めた後、折畳み式ベットの本体ベースの片側の短辺側中央部に設けられた排水口設置具に、排水口を設置した後、下側の部分に排水ホースを接続し、要介護者を中央に載せ周囲の可動パネルを浴槽状として、温水シャワー等により洗浄を行う事を特徴とした介護用移動浴槽ベット。